(57)【要約】    【課題】  ＮＤフィルタによる絞り開口の可変範囲の全域において結像位置のずれを排除するとともに、円滑な絞り動作を保証する。    【解決手段】  光量調節装置は、光軸直交面内で移動して光通過口の面積を変化させる第１および第２の遮光部材１３ｄ，１３ｅと、該第１および第２の遮光部材が連結されて回動可能なレバー部材１３ｃと、該レバー部材を駆動するアクチュエータ１３ａと、第１の遮光部材に取り付けられたＮＤフィルタ１４とを有する。ＮＤフィルタは、開放状態の光通過口の全体を覆う形状を有し、かつ第２の遮光部材は、光通過口の閉じ状態においてレバー部材とＮＤフィルタとの間に配置され、該ＮＤフィルタのレバー部材に対する接触を阻止するガード部１３ｅ５を有する。    【選択図】  図４Ｂ
2005215215.tif 000002
【特許請求の範囲】
【請求項１】
光軸直交面内で移動して光通過口の面積を変化させる第１および第２の遮光部材と、
前記第１および第２の遮光部材が連結されて回動可能なレバー部材と、
該レバー部材を駆動するアクチュエータと、
前記第１の遮光部材に取り付けられたＮＤフィルタとを有し、
前記ＮＤフィルタは、開放状態の前記光通過口の全体を覆う形状を有し、
かつ前記第２の遮光部材は、前記光通過口の閉じ状態において前記レバー部材と前記ＮＤフィルタとの間に配置され、前記ＮＤフィルタの前記レバー部材に対する接触を阻止するガード部を有することを特徴とする光量調節装置。
【請求項２】
前記レバー部材の両端に、前記第１および第２の遮光部材が連結される第１および第２の連結部が設けられており、
前記ＮＤフィルタは、前記閉じ状態において、前記レバー部材における前記第１および第２の連結部の間の内側部分に対し、前記ガード部を挟んで光軸方向にて重なることを特徴とする請求項１に記載の光量調節装置。
【請求項３】
前記閉じ状態において、前記ＮＤフィルタの閉じ動作方向先端が、前記レバー部材と前記第２の遮光部材との連結部よりも光軸から光軸直交方向に離れた位置に到達し、
前記ガード部は、前記連結部よりも前記光軸から光軸直交方向に離れた位置まで延出していることを特徴とする請求項１又は２に記載の光量調節装置。
【請求項４】
請求項１から３のいずれか１つに記載の光量調節装置を含み、前記光通過口を通過した光束を結像させる光学系を有することを特徴とする光学機器。
【発明の詳細な説明】
【技術分野】
【０００１】
本発明は、電子スチルカメラ、ビデオカメラおよび交換レンズ等の光学機器に用いられる光量調節装置に関するものである。
【背景技術】
【０００２】
従来のビデオカメラに搭載されている絞り装置（光量調節装置）としては、例えば図８に示される構成のものがある（特許文献１参照）。
この絞り装置は２枚羽根型のものであり、２枚の絞り羽根１２３ａ，１２３ｂを１個の回動式電磁アクチュエータ（モータ）１２３ｃでシーソー式駆動レバー１２３ｄを介して駆動する構成のものである。１２３ｅは絞り装置の地板（すなわちケーシング）である。
【０００３】
また、他にも図９，図１０に示す構成の絞り装置が知られている。図９は絞り開口が開放されている状態を、図１０は絞り開口が全閉されている状態を示している。また、図１１は、絞り装置を含む光学系の構成を示している。
【０００４】
これらの図において、絞り開口を開閉するためのアクチュエータは１１３ａである。このアクチュエータ１１３ａの出力軸１１３ａ１には第１のレバー（駆動部材）１１３ｇの基端部が圧入されている。また、第２のレバー１１３ｃの両端には、ピン部１１３ｃ１，１１３ｃ２が形成されている。第２のレバー１１３ｃのピン部１１３ｃ２は、第１の絞り羽根１１３ｄの穴部１１３ｄ１と係合している。第１の絞り羽根１１３ｄの幅方向両側には、上下方向に延びる長穴部１１３ｄ２，１１３ｄ３が形成されており、これら長穴部１１３ｄ２，１１３ｄ３には、絞り装置のベース部材１０８（図１１参照）に形成されたガイドピン１１３ｆ１，１１３ｆ２が係合している。
【０００５】
また、第２のレバー１１３ｃのピン部１１３ｃ１は、第２の絞り羽根１１３ｅの穴部１１３ｅ１と係合している。第２の絞り羽根１１３ｅの幅方向両側には、上下方向に延びる長穴部１１３ｅ２，１１３ｅ３が形成されており、これら長穴部１１３ｅ２，１１３ｅ３には、上記ガイドピン１１３ｆ１，１１３ｆ２が係合している。また、該ピン部１１３ｃ１には、第１のレバー１１３ｇに形成された長穴部１１３ｇ１が係合している
さらに、第１の絞り羽根１１３ｄには、小絞り補正のため、Ｆ５．６〜Ｆ８程度の絞り口径を覆うようにＮＤフィルタ１１４が貼り付けられている。
【０００６】
このように構成された絞り装置は、図１１に示すように、物体側から順に配置された第１，第２，第２，第４のレンズユニット１０１〜１０４を有する光学系のうち、第１のレンズユニット１０１と第２のレンズユニット１０２との間に配置され、第１および第２の絞り羽根１１３ｄ，１１３ｅによって形成される絞り開口を通過した光束を、撮像素子１０６の受光面上に結像させる。なお、第４のレンズユニット１０４と撮像素子１０６との間には、赤外カットおよびローパスフィルタ等の光学ブロック１０５が配置されている。
【０００７】
上記絞り装置において、アクチュエータ１１３ａが回転すると、第１のレバー１１３ｇを介して第２のレバー１１３ｃが回転し、これに伴い両絞り羽根１１３ｄ，１１３ｅが図中上下方向に駆動される。
【０００８】
一方、従来のＮＤフィルタ１１４は、均一な濃度を有するもの若しくは濃度が変化するものが用いらていれる。均一濃度フィルタの場合、撮像素子の感度が上昇するに従い、ＮＤフィルタの濃度を濃くして光の透過量を低下させ、被写体の明るさが同一でも絞りの最小開口を大きくするようにしている。
【０００９】
但し、このようにＮＤフィルタの濃度が濃くなると、図１１に示すように、ＮＤフィルタ１１４を透過した光ａと、絞り開口のうち素通し領域（ＮＤフィルタ１１４がない領域）を通過した光ｂとの光量差が大きく異なり、解像度が低下してしまう。
【００１０】
これを改良すべく、図１２，１３に示すように、光の透過量（つまりは濃度）が略一定の割合で変化する透過特性を有したＮＤフィルタを用いた絞り装置も提案されている。
【特許文献１】特開平７−２８１２３号公報（段落０００８〜００１３、図１）
【発明の開示】
【発明が解決しようとする課題】
【００１１】
しかしながら、ＮＤフイルタを均一濃度としても可変濃度としても、ＮＤフィルタが所望のＦｎｏ．例えばＦ５．６相当の絞り開口を覆い切る直前においては、ＮＤフィルタ１１４を透過した光ａと素通し領域を通過した光ｂとで、ＮＤフィルタ１１４の厚み分と屈折率による結像位置にずれが発生してしまう。このため、中間絞り域において、上述した光量差に加えて、結像位置のずれがさらに解像力を低下させる要因となる。
【００１２】
可変濃度のＮＤフィルタを用いた場合においても、上記光量差による解像力の劣化は改善されるものの、撮像素子の画素ピッチが３．２〜３．８μｍと小さくなり、許容錯乱円径が小さいレンズユニットにおいては、上記結像位置のずれは許容できない程度の片ぼけを生じさせ、画質の劣化を引き起こしてしまう。
【００１３】
中間絞り域においても良好な結像性能を満足するため、図１４に示すように、７５％より低い透過率を有する光減衰部１１４ａ，１１４ａ’よりも開放側に、これら光減衰部と同一材料、同一板厚で構成される７５％以上の透過率を有する領域（非減衰部）１１４ｂを有するＮＤフィルタが提案されている。そして、光学的には、同図に示すように、非減衰部１１４ｂは、開放状態から絞り開口を覆い切る設定とすることが、絞り開口の可変範囲の全域において結像位置のずれを排除することが可能となる。
【００１４】
しかし、図１５に示すように、クローズ側において、ＮＤフィルタ１１４と第２のレバー１１３ｃとが斜線部１１４ｃで重なり合って接触し（特に、ＮＤフィルタ１１４に反り等がある場合）、該接触部分により円滑な絞り動作ができないおそれがある。
【００１５】
本発明は、ＮＤフィルタによる絞り開口の可変範囲の全域において結像位置のずれを排除するとともに、円滑な絞り動作を保証できるようにした光量調節装置およびこれを備えた光学機器を提供することを目的としている。
【課題を解決するための手段】
【００１６】
上記の目的を達成するために、本発明の光量調節装置は、光軸直交面内で移動して光通過口の面積を変化させる第１および第２の遮光部材と、該第１および第２の遮光部材が連結されて回動可能なレバー部材と、該レバー部材を駆動するアクチュエータと、第１の遮光部材に取り付けられたＮＤフィルタとを有する。そして、ＮＤフィルタは、開放状態の光通過口の全体を覆う形状を有し、かつ第２の遮光部材は、光通過口の閉じ状態においてレバー部材とＮＤフィルタとの間に配置され、該ＮＤフィルタのレバー部材に対する接触を阻止するガード部を有する。
【発明の効果】
【００１７】
本発明によれば、ＮＤフィルタによる光通過口（絞り開口）の面積の可変範囲の全域において、該光通過口を通過する光束の結像位置ずれを排除することができるとともに、ＮＤフィルタがレバー部材に干渉（接触）することを阻止して、円滑な動作を保証することができる。
【００１８】
特に、レバー部材の両端に第１および第２の遮光部材が連結された第１および第２の連結部が設けられている場合に、ＮＤフィルタが、光通過口の閉じ状態において、レバー部材における第１および第２の連結部の間の内側部分に対して光軸方向にて重なるように構成することで、連結部を避けつつ大きなＮＤフィルタを移動させることができるようにして、装置の大型化を防止している。また、一般に、光量調節装置では、第１および第２の遮光部材とレバー部材とを光軸方向にて互いに近接するよう配置して装置の薄型化を図っている。そして、この場合に、上記ガード部を設けることは、相互に近接配置されているＮＤフィルタとレバー部材との干渉を阻止する上できわめて有効である。
【００１９】
また、閉じ状態において、ＮＤフィルタの閉じ動作方向先端がレバー部材と第２の遮光部材との連結部よりも光軸から光軸直交方向に離れた位置に到達する場合に、ガード部を、該連結部よりも光軸から光軸直交方向に離れた位置まで延出させることにより、より確実にＮＤフィルタとレバー部材との干渉を阻止することができる。
【発明を実施するための最良の形態】
【００２０】
以下、本発明の実施例について図面を参照しながら説明する。
【実施例】
【００２１】
図１〜図３には、本発明の実施例である絞り装置（光量調節装置）を備えた、ビデオカメラ（光学機器）用のズームレンズ鏡筒の構成を示している。
【００２２】
図１および図２において、１は固定された前玉である第１レンズユニット、２は光軸方向に移動して変倍を行うバリエーターレンズユニット、３は固定のアフォーカルレンズユニット、４は光軸方向に移動して変倍に伴う像面移動の補正と焦点調節を行うフォーカシングレンズユニットを示す。なお、図３では、上記レンズユニットは省略している。
【００２３】
図１〜図３において、５は第１レンズユニット１を保持する前玉鏡筒である。７は図１および図２に示すように、ローパスフィルタ保持部７ｂと撮像素子保持部７ｃとを有する後部鏡筒である。ローパスフィルタ保持部７ｂには、赤外カットおよびローパスフィルタ（図示せず）が保持され、撮像素子保持部７ｃには、ＣＣＤやＣＭＯＳセンサからなる撮像素子（光電変換素子：図７参照）が保持される。
【００２４】
６ａ，６ｂはガイド軸であり、前玉鏡筒５の基準穴５ｇ，５ｈおよび後部鏡筒７の基準穴７ｄ，７ｅに嵌合して位置決め保持されている。
【００２５】
バリエーターレンズユニット２を保持するＶ移動環８は、ガイド軸６ａに対して光軸方向に移動可能に係合し、かつＶ移動環８の光軸に対する傾き（倒れ）を阻止するスリーブ部８ａと、ガイド軸６ｂに対して光軸方向に移動可能に係合するＵ溝部８ｂとを有する。Ｕ溝部８ｂをガイド軸６ｂに係合させることで、Ｖ移動環８のガイド軸６ａを中心とした回転を阻止している。こうして２本のガイド軸６ａ，６ｂにより、バリエーターレンズユニット２の光軸出しが行われる。
【００２６】
また、Ｖ移動環８には、不図示のラックが取り付けられており、該ラックが図３に示すズームモータ１０のスクリュウ軸１０ａに噛み合うことで、スクリュウ軸１０ａの回転によりＶ移動環８が光軸方向に駆動される。
【００２７】
また、フォーカシングレンズユニット４を保持するＲＲ移動環９は、ガイド軸６ｂに対して光軸方向に移動可能に係合し、かつＲＲ移動環９の光軸に対する傾き（倒れ）を阻止するスリーブ部９ａと、ガイド軸６ａに対して光軸方向に移動可能に係合するＵ溝部９ｂとを有する。Ｕ溝部９ｂをガイド軸６ａに係合させることで、ＲＲ移動環９のガイド軸６ｂを中心とした回転を阻止している。こうして２本のガイド軸６ａ，６ｂにより、フォーカシングレンズユニット４の光軸出しが行われる。
【００２８】
また、ＲＲ移動環９には、不図示のラックが取り付けられており、該ラックが図３に示すフォーカシングモータ１１のスクリュウ軸１１ａに噛み合うことで、スクリュウ軸１１ａの回転によりＲＲ移動環９が光軸方向に駆動される。
【００２９】
アフォーカルレンズユニット３を保持する中間枠１２は、Ｖ移動環８およびＲＲ移動環９と同様に、図２に示すように、基準位置決め穴１２ａおよび回転阻止長穴１２ｂとを有し、それぞれがガイド軸６ａ，６ｂに係合することでアフォーカルレンズユニット３の光軸出しを行っている。また、中間枠１２の３個所には、前玉鏡筒５に形成した係止部５ｉ〜５ｋに係合する係合部１２ｃ〜１２ｅを形成することで、アフォーカルレンズユニット３の倒れを阻止している。
【００３０】
１３は本実施例の絞り装置である。この絞り装置１３は、Ｖ移動環８と中間枠１２との間に配置され、図１にて点線で示すように、圧入部１３ｍが前玉鏡筒５に形成された保持溝部５ｍに圧入されることで前玉鏡筒５により保持されている。
【００３１】
ここで、本実施例のズームレンズ鏡筒を含むビデオカメラの全体の電気回路構成について図７を用いて簡単に説明する。なお、本図において、図１〜図３に示した構成要素と共通するものについては、これらの図と同符号を付して説明に代える。
【００３２】
１６は上述した撮像素子である。１３ａは絞り装置を駆動する絞りモータである。２２５はズームエンコーダ、２２７はフォーカスエンコーダである。これらのエンコーダーはそれぞれ、Ｖ移動環８およびＲＲ移動環９の光軸方向の絶対位置を検出する。なお、ズームモータ１０およびフォーカシングモータ１１としてＤＣモータを用いる場合には、ボリューム等の絶対位置エンコーダを用いたり、磁気式のものを用いたりする。また、ズームモータ１０およびフォーカシングモータ１１としてとして、ステッピングモータを用いる場合には、移動環８，９を基準位置に移動させてから、ステッピングモータに入力する駆動パルス数をカウントして該移動環８，９の位置を検出する方法が一般的である。
【００３３】
２２６は絞りエンコーダであり、絞りモータ１３ａの内部にホール素子を配置し、ローターとステーターの回転位置関係を検出する方式のものなどが用いられる。
【００３４】
２３２は本ビデオカメラの制御を司るコントローラとしてのＣＰＵである。２２８はカメラ信号処理回路であり、撮像素子１６からの出力に対して所定の増幅やガンマ補正などを施す。これらの所定の処理を受けた映像信号のコントラスト信号は、ＡＥゲート２２９およびＡＦゲート２３０を通過する。即ち、露出決定およびピント合わせのために最適な信号の取り出し範囲が全画面内のうちこのゲートで設定される。
【００３５】
２３１はＡＦ（オートフォーカス）のためのＡＦ信号を処理するＡＦ信号処理回路であり、映像信号の高周波成分に関する１つもしくは複数の出力を生成する。２３３はズームスイッチ、２３４はズームトラッキングメモリである。ズームトラッキングメモリ２３４は、変倍に際して被写体距離とバリエーターレンズ位置に応じてセットすべきフォーカシングレンズ位置の情報（ズームトラッキングデータ）を記憶している。なお、ズームトラッキングメモリとしてＣＰＵ２３２内のメモリを使用してもよい。
【００３６】
撮影者によりズームスイッチ２３３が操作されると、ＣＰＵ２３２は、ズームトラッキングメモリ２３４の情報をもとに算出したバリエーターレンズユニット２とフォーカシングレンズユニット４の所定の位置関係が保たれるように、ズームエンコーダ２２５の検出結果となる現在のバリエーターレンズユニット２の光軸方向の絶対位置と算出されたバリエーターレンズユニット４のセットすべき位置、およびフォーカスエンコーダ２２７の検出結果となる現在のフォーカスレンズユニット４の光軸方向の絶対位置と算出されたフォーカスレンズユニット４のセットすべき位置とがそれぞれ一致するように、ズームモータ１０とフォーカシングモータ１１の駆動を制御する。
【００３７】
また、オートフォーカス動作ではＡＦ信号処理回路２３１の出力がピークを示すように、ＣＰＵ２３２は、フォーカシングモータ１１を駆動制御する。
【００３８】
さらに、適正露出を得るために、ＣＰＵ２３２は、ＡＥゲート２２９を通過したＹ信号の出力の平均値を所定値として、絞りエンコーダ２２６の出力がこの所定値となるように絞りモータ１３ａの駆動を制御して、絞り開口径をコントロールする。
【００３９】
次に、絞り装置の構成について、図４Ａ〜図４Ｃを用いて説明する。図４Ａは絞り開口の開放状態を、図４Ｂは全閉状態を示す。また、図４Ｃは絞り装置の上面図である。
【００４０】
１３ａはアクチュエータとしての絞りモータである。アクチュエータとしては、絞りを開閉するための一定以上のトルクを発生するものであれば何でもよく、例えばガルバノメータやステッピングモータを使用することができる。
【００４１】
この絞りモータ１３ａは、図示しないベース部材により保持されている。ベース部材には、図中に一点鎖線で示した固定開口Ａが形成されている。
【００４２】
絞りモータ１３ａの出力軸１３ａ１には、第１のレバー１３ｂの基端部が圧入されている。また、第２のレバー（レバー部材）１３ｃが、その中間部に設けられた軸部１３ｃ３を中心に回動可能にベース部材により支持されている。
【００４３】
第２のレバー１３ｃの両端には、ピン部（連結部）１３ｃ１，１３ｃ２が設けられている。ピン部１３ｃ２は、第１の絞り羽根（遮光部材）１３ｃに形成された丸穴部１３ｄ１に回転可能に係合している。
【００４４】
また、第１の絞り羽根１３ｄの幅方向両側には、上下方向に延びる長穴部１３ｄ２，１３ｄ３が形成されている。これら長穴部１３ｄ２，１３ｄ３には、ベース部材に設けられたガイドピン１３ｆ１，１３ｆ２が係合している。この第１の絞り羽根１３ｄの内側には、光通過口である絞り開口を形成する（開放状態において絞り開口の下半分を形成する）ための開口形成部１３ｄ４が形成されており、第１の絞り羽根１３ｄは全体として略Ｕ字形状に形成されている。
【００４５】
また、第２のレバー１３ｃのピン部１３ｃ１には、第２の絞り羽根１３ｅに形成された丸穴部１３ｅ１に回転可能に係合している。また、第２の絞り羽根１３ｅの幅方向（図中の左右方向）両側には、上下方向に延びる長穴部１３ｅ２，１３ｅ３が形成されている。これら長穴部１３ｅ２，１３ｅ３には、上記ベース部材に設けられたガイドピン１３ｆ１，１３ｆ２が係合している。この第２の絞り羽根１３ｅの内側には、光通過口である絞り開口を形成する（開放状態において絞り開口の上半分を形成する）ための開口形成部１３ｅ４が形成されており、第２の絞り羽根１３ｅは全体として略Ｕ字形状に形成されている。但し、第２の絞り羽根１３ｅには、後述するガード部が形成されている。
【００４６】
なお、第１および第２の絞り羽根１３ｃ，１３ｅは、第２のレバー１３ｃに対して、該第２のレバー１３ｃ側から第２の絞り羽根１３ｅ、第１の絞り羽根１３ｃの順で組み付けられている。
【００４７】
このように構成された絞り装置において、アクチュエータ１３ａが回転すると、第１のレバー１３ｇを介して第２のレバー１３ｃが回転し、これに伴い両絞り羽根１３ｄ，１３ｅが図中上下方向に駆動される。
【００４８】
なお、上記長穴部１３ｄ２，１３ｄ３，１３ｅ２，１３ｅ３を上下方向に直線状に延ばしてもよいが、緩やかな円弧を描くように延ばして、第２のレバー１３ｃの回動に対して第１および第２の絞り羽根１３ｄ，１３ｅが上下方向に対して傾かずに移動するようにしてもよい。
【００４９】
さらに、第１の絞り羽根１３ｄにおける第２の絞り羽根１３ｅ側とは反対側の面には、図４Ａに示すように、開放状態の絞り開口の全体（但し、固定開口Ａに対応する領域の全体の意）を覆う形状を有するＮＤフィルタ１４が接着により貼り付けられている。
【００５０】
このＮＤフィルタ１４は、矩形形状の下側２つの角部を斜めにカットした形状を有し、その左右方向における最大幅は、第２のレバー１３ｃの回動範囲におけるピン部（連結部）１３ｃ１，１３ｃ２の内側間の左右方向の最小幅よりも小さく設定されている。また、ＮＤフィルタ１４は、上記開口形成部１３ｄ４から上方（第２のレバー１３ｃの方向）に延びており、図４Ｂに示す全閉状態では、その上部（特に、右側部分）が第２のレバー１３ｃに対して光軸方向（図の紙面に垂直な方向）にて重なる。
【００５１】
より具体的には、全閉状態では、ＮＤフィルタ１４の上端が、第２のレバー１３ｃのうち光軸Ｌに近づく側のピン部１３ｃ１よりも光軸Ｌから上方（光軸直交方向）に離れる位置まで到達する。なお、ＮＤフィルタ１４の右側上部は、第１の絞り羽根１３ｄに対して貼り付けられたり支持されたりしておらず、ＮＤフィルタ１４の剛性で略光軸直交面内に位置する。
【００５２】
したがって、ＮＤフィルタ１４に反りが発生した場合や、ビデオカメラに振動が加わった場合等に、ＮＤフィルタ１４の右側上部が第２のレバー１３ｃに干渉する可能性がある。特に、本実施例の絞り装置では、ＮＤフィルタ１４の最大幅をピン部１３ｃ１，１３ｃ２間の最小幅よりも小さく設定することで、ＮＤフィルタ１４の上部がピン部１３ｃ１，１３ｃ２の間に入り込む（第２のレバー１３ｃに対して光軸方向にて重なる）位置まで移動することを許容し、これにより、大きなＮＤフィルタ１４を使用する本絞り装置の上下方向の小型化を図っている。しかも、ＮＤフィルタ１４が貼り付けられた第１の絞り羽根１３ｄと第２の絞り羽根１３ｅと第２のレバー１３ｃとをできるだけ光軸方向にて近接させ、絞り装置の光軸方向における薄型化も図っている。このため、上記干渉が生じやすく、これにより円滑な絞り動作が妨げられる可能性が高くなる。
【００５３】
そこで本実施例では、図６に示すように、第２の絞り羽根１３ｅの上部には、図中に一点鎖線で示す従来の第２の絞り羽根の形状に対して、上方および幅方向に延出したガード部１３ｅ５を形成している。
【００５４】
このガード部１３ｅ５は、図４Ｂに示すように、半閉じ状態から全閉状態において、ＮＤフィルタ１４と第２のレバー１３ｃとの間に入り込む。全閉状態では、ガード部１３ｅ５は、ピン部１３ｃ１およびＮＤフィルタ１４の上端よりも光軸Ｌから上方に離れた位置まで延出する。
【００５５】
このため、ＮＤフィルタ１４の上部（特に、右側上部）が第２のレバー１３ｃ側に反ったり振動したりしても、ガード部１３ｅ５の存在によってＮＤフィルタ１４が第２のレバー１３ｃに接触することが阻止される。したがって、ＮＤフィルタ１４を開放状態の絞り開口全体を覆うように大きく形成しても、ＮＤフィルタ１４と第２のレバー１３ｃとを干渉させることなく円滑な絞り動作を保証することができる。
【００５６】
なお、図５に示すように、ＮＤフィルタ１４は、光量の減衰を目的とした７５％より低い透過率（図５の例では、透過率が除々に変化する）を有した光減衰部１４ａと、この光減衰部１４ａよりも開放側（図４Ａでいう上方）に、透過率が７５％以上で撮像素子に対する実質的な光量減衰作用を有さない非減衰部１４ｂとが、同一材質、同一板厚のベース材上に形成されている。光減衰部１４ａは小絞り側の所定の大きさの絞り開口を覆いきる面積を有する。これにより、いわゆる小絞り回折の抑制効果がある。また、非減衰部１４ｂを該ＮＤフィルタ１４が開放状態の絞り開口全体を覆う大きさとすることにより、絞り開口を通過する光のうちフィルタを通った光と通らない光との間で発生する結像位置のずれ（図１１参照）を防止することができる。
【００５７】
なお、本実施例においては、光減衰部１４ａの濃度が変化するＮＤフィルタ１４について説明したが、光減衰部１４ａが単一濃度のものを用いてもよい。
【００５８】
以上説明したように、本発明によれば、開放状態の絞り開口全体を覆うような大きなＮＤフィルタを用いることにより、従来のように開放状態の絞り開口の一部しか覆わないＮＤフィルタを用いた場合の結像位置のずれに起因する画質の劣化を防止しつつ、開放状態から全閉状態に至るまで円滑な絞り動作が可能な絞り装置を実現することができる。
【００５９】
なお、本実施例では、ビデオカメラ用のズームレンズ鏡筒について説明したが、本発明は、電子スチルカメラや交換型撮影レンズ等の各種光学機器に搭載される光量調節装置にも適用することができる。
【００６０】
また、ＮＤフィルタを、第１の透過率を有する光減衰部の開放側に、同一材料、同一板厚で構成される実質的な光減衰作用を持たない非減衰部を有する構成とし、その非減衰部の幅を、光減衰部が所望のＦｎｏ．（小絞り側の絞り開口）を覆い切る直前において、非減衰部のみで覆われた開口面積が小絞り回折が発生するＦｎｏ．（Ｆ１６等の絞り開口）と略等価な面積であるときの絞り開口形状を覆い切るのに必要な幅としてもよい。
【図面の簡単な説明】
【００６１】
【図１】本発明の実施例であるズームレンズ鏡筒の縦断面図。
【図２】上記ズームレンズ鏡筒の横断面図。
【図３】上記ズームレンズ鏡筒の分解斜視図。
【図４Ａ】上記ズームレンズ鏡筒に搭載された絞り装置の構成（開放状態）を示す図。
【図４Ｂ】上記絞り装置の構成（全閉状態）を示す図。
【図４Ｃ】上記絞り装置の上面図。
【図５】上記絞り装置に用いられたＮＤフィルタの透過率を示す図。
【図６】上記絞り装置に用いられた第２の絞り羽根を示す図。
【図７】上記ズームレンズ鏡筒の電気回路構成を示すブロック図。
【図８】従来の絞り装置の構成を示す図。
【図９】従来の絞り装置の構成（開放状態）を示す図。
【図１０】従来の絞り装置の構成（全閉状態）を示す図。
【図１１】従来の絞り装置を含む光学系の断面図。
【図１２】従来の絞り装置に用いられたＮＤフィルタの透過率を示す図。
【図１３】従来の絞り装置に用いられたＮＤフィルタの透過率を示す図。
【図１４】従来の絞り装置の構成を示す図。
【図１５】従来の絞り装置の構成（全閉状態）を示す図。
【符号の説明】
【００６２】
１  前玉レンズユニット
２  バリエータレンズユニット
３  アフォーカルレンズユニット
４  フォーカシングレンズユニット
５  前玉鏡筒
６ａ、６ｂ  ガイド軸
７  後部鏡筒
８  Ｖ移動環
９  ＲＲ移動環
１０  ズームモータ
１１  フォーカシングモータ
１２  中間枠
１３  絞り装置
１３ａ  絞りモータ
１３ｃ  第２のレバー
１３ｄ  第１の絞り羽根
１３ｅ  第１の絞り羽根
１４  ＮＤフィルタ
１４ａ  光減衰部
１４ｂ  非減衰部
１６  撮像素子
【図１】
2005215215.tif 000003
【図２】
2005215215.tif 000004
【図３】
2005215215.tif 000005
【図４Ａ】
2005215215.tif 000006
【図４Ｂ】
2005215215.tif 000007
【図４Ｃ】
2005215215.tif 000008
【図５】
2005215215.tif 000009
【図６】
2005215215.tif 000010
【図７】
2005215215.tif 000011
【図８】
2005215215.tif 000012
【図９】
2005215215.tif 000013
【図１０】
2005215215.tif 000014
【図１１】
2005215215.tif 000015
【図１２】
2005215215.tif 000016
【図１３】
2005215215.tif 000017
【図１４】
2005215215.tif 000018
【図１５】
2005215215.tif 000019